(57)【要約】【課題】表示パネルの中央を明るく照射することができ、かつ、ベゼル幅を狭くすることが可能なバックライト装置および表示装置を提供する。【解決手段】実施形態によれば、表示装置は、表示パネルと、第１および第２の光源と、第１の導光板とを有する。第１の光源は、前記表示パネルの第１の領域に向けて光を照射する。第２の光源は、前記表示パネルの縁よりも内側に、前記第１の光源と異なる方向を向いて設けられる。第１の導光板は、前記第２の光源より照射された光を、前記表示パネル上の領域であって、前記第１の領域よりも前記表示パネルの縁に近い第２の領域に向かって導く。【選択図】図３
2012208451.tif 000002
【特許請求の範囲】
【請求項１】
表示パネルと、
前記表示パネルの第１の領域に向けて光を照射する第１の光源と、
前記表示パネルの縁よりも内側に、前記第１の光源と異なる方向を向いて設けられた第２の光源と、
前記第２の光源より照射された光を、前記表示パネル上の領域であって、前記第１の領域よりも前記表示パネルの縁に近い第２の領域に向かって導く第１の導光板と、を有する表示装置。
【請求項２】
前記第１の領域は、少なくとも前記表示パネルの中央に対応する位置を含む請求項１に記載の表示装置。
【請求項３】
前記表示パネルの前記第１の領域と対向して設けられ、前記第１の領域と対向する第１面と、少なくとも一部が前記第１の導光板と対向する第２面と、を含む基板を有し、
前記第１の光源は前記第１面に取り付けられ、
前記第２の光源は前記第２面の前記第１の導光板と対向する部分に取り付けられる請求項１に記載の表示装置。
【請求項４】
前記第１面および前記第２面には反射材が塗布されている請求項３に記載の表示装置。
【請求項５】
前記基板は、前記第１面の前記表示パネル側から、前記第２面側に向かって傾斜する第３面を含む請求項３に記載の表示装置。
【請求項６】
前記第１の光源を覆い、前記第１の光源より照射された光を拡散させる拡散レンズを有する請求項１に記載の表示装置。
【請求項７】
前記第１の導光板を介さずに前記表示パネルへ拡散する前記第２の光源より照射される光の量を抑制する拡散抑制部材を有する請求項１に記載の表示装置。
【請求項８】
前記拡散抑制部材は、前記第２の光源と前記表示パネルとの間に設けられる遮光部材である請求項７に記載の表示装置。
【請求項９】
前記拡散抑制部材は、前記第２の光源を覆い、前記第２の光源より照射された光の進行方向を前記表示パネルと略平行な方向に向けるコリメートレンズである請求項７に記載の表示装置。
【請求項１０】
前記第２の光源と同じ方向を向いて設けられた第３の光源と、
前記第１の導光板と対向して設けられ、前記第３の光源より照射された光を、前記表示パネル上の領域であって、前記第１および第２の領域とは異なる第３の領域に向かって導く第２の導光板を有する請求項１に記載の表示装置。
【請求項１１】
前記表示パネルと前記第１の導光板との間に、前記第１の光源から照射される光を拡散させる拡散部材を有する請求項１に記載の表示装置。
【請求項１２】
放送波を受信してチューニングするチューナを有し、
前記表示パネルは、前記チューニングされた放送波を表示する請求項１に記載の表示装置。
【請求項１３】
第１の領域に光を照射する第１の光源と、
前記第１の光源から照射される光を挟むように設けられ、照射された光を前記第１の領域の周囲の少なくとも一部である第２の領域に向かって導く、少なくとも２つの導光板と、
前記２つの導光板の間に、前記第１の光源と異なる方向を向いて、前記２つの導光板のそれぞれに対応して設けられ、前記導光板に光を照射する第２の光源と、を有するバックライト装置。
【請求項１４】
前記第１の光源および前記導光板と対向して設けられる拡散部材を有する請求項１３に記載のバックライト装置。
【請求項１５】
前記第１の領域は、少なくとも前記拡散部材の中央に対応する位置を含む請求項１４に記載のバックライト装置。
【請求項１６】
前記第１の領域と対向する第１面と、少なくとも一部が前記導光板と対向する第２面と、を含む基板を有し、
前記第１の光源は前記第１面に取り付けられ、
前記第２の光源は前記第２面の前記導光板と対向する部分に取り付けられる請求項１３に記載のバックライト装置。
【請求項１７】
前記第１面および前記第２面には反射材が塗布されている請求項１６に記載のバックライト装置。
【請求項１８】
前記基板は、前記第１面の前記第２面と反対側から、前記第２面側に向かって傾斜する第３面を含む請求項１６に記載のバックライト装置。
【請求項１９】
前記第１の光源を覆い、前記第１の光源より照射された光を拡散させる拡散レンズを有する請求項１３に記載のバックライト装置。
【請求項２０】
前記導光板を介さずに前記第１の領域へ拡散する前記第２の光源より照射された光の量を抑制する拡散抑制部材を有する請求項１３に記載のバックライト装置。
【発明の詳細な説明】
【技術分野】
【０００１】
本発明の実施形態は、バックライト装置および表示装置に関する。
【背景技術】
【０００２】
近年、液晶表示装置（Liquid Crystal Display：ＬＣＤ）が広く用いられるようになってきている。ＬＣＤは、一対のガラス基板の間に液晶材料を配置して構成される液晶パネルと、液晶パネルの背面から液晶パネルに光を照射するバックライト装置とを備えている。バックライト装置はエッジ型および直下型の２種類に大別される。
【０００３】
エッジ型のバックライト装置は、ＬＥＤ（Light Emitting Diode）等の光源から、液晶パネルの背面に配置された導光板の側面に向けて光を照射し、広く拡散させた光を、導光板の液晶パネルと対向する面から取り出すものである。この方式によると、バックライト装置を薄くできるが、その反面、大型化すると液晶パネルの中央を明るく照射できないため輝度ムラができやすい、あるいは、光源を配置するためにベゼル幅を広くする必要がある、という問題がある。ベゼル幅が広いと、表示領域が小さく見えてしまうことがある。
【０００４】
一方、直下型のバックライト装置は、液晶パネルの直下にアレイ状に光源を配置し、拡散板等を介して液晶パネルに光を照射するものである。この方式によると、エッジ型とは対照的に、液晶パネルの中央を明るく照射できるため輝度ムラが出にくく、ベゼル幅を狭くすることもできるが、バックライト装置が厚くなったり、光源を多数配置したりしなければならないためコスト高になるという問題がある。
【先行技術文献】
【特許文献】
【０００５】
【特許文献１】特開２００７−２９３３３９号公報
【発明の概要】
【発明が解決しようとする課題】
【０００６】
表示パネルの中央を明るくでき、かつ、狭いベゼル幅を実現することのできるバックライト装置および表示装置を提供する。
【課題を解決するための手段】
【０００７】
実施形態によれば、表示装置は、表示パネルと、第１および第２の光源と、第１の導光板とを有する。第１の光源は、前記表示パネルの第１の領域に向けて光を照射する。第２の光源は、前記表示パネルの縁よりも内側に、前記第１の光源と異なる方向を向いて設けられる。第１の導光板は、前記第２の光源より照射された光を、前記表示パネル上の領域であって、前記第１の領域よりも前記表示パネルの縁に近い第２の領域に向かって導く。
【図面の簡単な説明】
【０００８】
【図１】第１の実施形態に係る画像表示装置１１０を含む画像表示システムの概略ブロック図。
【図２】表示モジュール２００の概略ブロック図。
【図３】バックライト装置６および液晶パネル１の斜視図。
【図４】図３のバックライト装置６および液晶パネル１をＡ方向から見た正面図。
【図５】図３のバックライト装置６の変形例の正面図。
【図６】図３のバックライト装置６の別の変形例の正面図。
【図７】図３のバックライト装置６の別の変形例の正面図。
【図８】図３のバックライト装置６の別の変形例の斜視図。
【図９】図８のバックライト装置６のＡ方向から見た正面図。
【図１０】バックライト装置６ａの斜視図。
【図１１】バックライト装置６ｂの斜視図。
【図１２】バックライト装置６ｃの正面図。
【図１３】バックライト装置６ｄの斜視図。
【発明を実施するための形態】
【０００９】
以下、実施形態について、図面を参照しながら具体的に説明する。
【００１０】
（第１の実施形態）
図１は、第１の実施形態に係る画像表示装置１１０を含む画像表示システムの概略ブロック図である。
【００１１】
画像表示装置１１０は、各部の動作を制御する制御部１５６と、操作部１１６と、受光部１１８とを備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１２】
制御部１５６は、操作部１１６から入力される操作信号や、リモートコントローラ１１７から送信され受光部１１８を介して入力される操作信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１３】
また、画像表示装置１１０は、入力端子１４４と、チューナ１４５と、ＰＳＫ（Phase Shift Keying）復調器１４６と、ＴＳ（Transport Stream）復号器１４７ａと、信号処理部１２０とを備えている。
【００１４】
入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１５】
ここでのデジタル映像信号とは、画像表示装置１１０が出力可能な映像に関するデジタル信号であり、デジタル音声信号とは、画像表示装置１１０が出力可能な音声に関するデジタル信号である。またデータ信号とは、復調されたサービスについての各種情報を示すデジタル信号である。
【００１６】
また、画像表示装置１１０は、入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００１７】
入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００１８】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、画像表示装置１１０は、一例として、アンテナ１４８が接続される入力端子１４９にＣＡＴＶ（Common Antenna Television）用のチューナを接続することによってＣＡＴＶも視聴できる。
【００１９】
また、画像表示装置１１０は、ライン入力端子１３７と、音声処理部１５３と、スピーカ１１５と、グラフィック処理部１５２と、ＯＳＤ（On Screen Display）信号生成部１５４と、映像処理部１５５と、と、表示モジュール２００とを備えている。
【００２０】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、ライン入力端子１３７からの入力信号にも所定のデジタル信号処理を施す。
【００２１】
音声処理部１５３は、入力された音声信号を、スピーカ１１５で再生可能なフォーマットのアナログ音声信号に変換する。アナログ音声信号は、スピーカ１１５に送信されて再生される。
【００２２】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２３】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２４】
映像処理部１５５は、グラフィック処理部１５２から送信された信号を、表示モジュール２００で表示可能なフォーマットのアナログ映像信号に変換する。アナログ映像信号は、表示モジュール２００に送信されて表示される。表示モジュール２００の詳細は図２を用いて後述する。
【００２５】
さらに、画像表示装置１１０は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００２６】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００２７】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０は画像表示装置１１０に内蔵される磁気記憶媒体であって、画像表示装置１１０が有する各種情報を記憶する機能を有する。
【００２９】
図２は、表示モジュール２００の概略ブロック図である。表示モジュール２００は、液晶パネル（表示パネル）１と、タイミングコントローラ２と、ゲートドライバ３と、ソースドライバ４と、バックライトコントローラ５と、バックライト装置６とを備えている。
【００３０】
液晶パネル１は、一対のガラス基板を対向配置して、これらガラス基板の間に液晶材料を配置した構造である。液晶パネル１は、複数（例えば１０８０本）の走査線と、複数（例えば１９２０＊３本）の信号線と、走査線および信号線の各交差箇所に形成される液晶画素とを有する。
【００３１】
タイミングコントローラ２は、図１の映像処理部から入力される入力映像信号をソースドライバ４に供給するとともに、ゲートドライバ３、ソースドライバ４およびバックライトコントローラ５の動作タイミングを制御する。
【００３２】
ゲートドライバ３は走査線の１つを順繰りに選択する。ソースドライバ４は入力映像信号を液晶パネル１の信号線に供給する。この入力映像信号はゲートドライバ３に選択された走査線に接続される液晶画素に供給され、入力映像信号の電圧に応じて、液晶画素内の液晶材料の配向が変化する。ゲートドライバ３およびソースドライバ４はパネルコントローラを構成する。
【００３３】
一方、バックライト装置６は液晶パネル１の背面に設けられ、液晶パネル１に光を照射する。照射された光のうち、液晶材料の配向に応じた強度の光が液晶材料を透過して、液晶パネル１上に表示される。
【００３４】
図３は、バックライト装置６および液晶パネル１の斜視図であり、図４は、図３のバックライト装置６および液晶パネル１をＡ方向から見た正面図である。以下では、バックライト装置６から液晶パネル１に向かう方向を上と呼ぶ。
【００３５】
バックライト装置６は、拡散板（拡散部材）１１と、２つの導光板１２と、光源モジュール１３とを有する。
【００３６】
拡散板１１は、例えば厚さ１ｍｍ程度のアクリル製あるいはポリエチレンテレフタレート製の板である。拡散板１１は液晶パネル１とほぼ同サイズであり、液晶パネル１と対向して、その下方に配置される。なお、拡散板１１に換えて拡散シート（フイルム）を拡散部材として使用しても構わないし、拡散板１１を省いてもよい。
【００３７】
導光板１２は、例えば厚さ２ｍｍ程度のアクリル製の矩形の板である。導光板１２は、光源モジュール１３よりも液晶パネル１の縁に近い領域、例えば、拡散板１１の左側および右側の領域（第２の領域）とそれぞれ対向して、その下方に、光源モジュール１３を挟むように配置される。また、導光板１２の下面の少なくとも一部には、液晶パネル１が配置される上方に光が出射されるよう、シルク印刷等の拡散部材１２ａが塗布されている。一方、光の拡散を抑制して直進性を向上するために、導光板１２の上面には、光の進行方向に沿って、例えば頂角９０度、ピッチ１０μｍのプリズム形状（不図示）が形成されている。
【００３８】
また、導光板１２と光源モジュール１３との間には、クリアランスを一定に保つためにスペーサ（不図示）を挿入し、導光板１２を安定させてもよい。スペーサの素材は、導光板１２の熱膨張を考慮して、弾性を有する素材であることが望ましい。さらに、導光板１２と拡散板１１との間に光学シート（不図示）を介挿して、光の利用効率を向上してもよい。
【００３９】
光源モジュール１３は拡散板１１および液晶パネル１の縁よりも内側の中央の領域（第１の領域）と対向し、その下方に配置される。光源モジュール１３は、基板１３ａと、ＬＥＤ基板１３ｂに取り付けられた複数の第１のＬＥＤ光源１３ｃと、ＬＥＤ基板１３ｄに取り付けられた複数の第２のＬＥＤ光源１３ｅとを有する。
【００４０】
基板１３ａは、背面１３ａ１（第１面）と、その両端で背面１３ａ１と結合され、あるいは、一体に形成される２つの側面（第２面）１３ａ２とを有する。背面１３ａ１は拡散板１１と対向し、側面１３ａ２の上部は導光板１２の側面と対向する。基板１３ａは、例えば厚さ１ｍｍ程度の金属製あるいはプラスティック製の板をコの字状に折り曲げて形成される。図４では、側面１３ａ２の高さを導光板１２の数倍程度に描いているが、実際の側面１３ａ２の高さは２０ｍｍ程度である。
【００４１】
第１のＬＥＤ光源１３ｃはＬＥＤ基板１３ｂに取り付けられ、ＬＥＤ基板１３は例えば両面テープにより背面１３ａ１に貼り付けられる。第１のＬＥＤ光源１３ｃは拡散板１１へ光を照射する。上述のように、背面１３ａ１は液晶パネル１の中央と対向している。この中央の領域には、第１のＬＥＤ光源１３ｃから導光板１２を介さずに液晶パネル１に光が到達するので、視聴者が注目しやすい液晶パネル１の中央部を特に明るくすることができる。また、背面１３ａ１には多くの第１のＬＥＤ光源１３ｃを設けることも可能である。そのため、液晶パネル１の中央では、表示領域を複数の領域に分割し、その領域ごとに明るさを制御する、いわゆるローカルディミングを細かい領域単位にできる。
【００４２】
なお、図３では８個の第１のＬＥＤ光源１３ｃが取り付けられる例を示しているが、この数は適宜変更してもよい。例えば、側面１３ａ１の高さが低いほど、第１のＬＥＤ光源１３ｃから拡散板１１までの距離が短くなり、光があまり拡散しなくなる。そのため、第１のＬＥＤ光源１３ｃの数を増やして液晶パネル１に輝度ムラが生じるのを抑制するのがよい。また、第１のＬＥＤ光源１３ｃが取り付けられる背面１３ａ１の表面は、液晶パネル１に到達する光量を増加させるよう、反射材１３ｆが塗布されているのが望ましい。
【００４３】
また、図５に示すように、第１のＬＥＤ光源１３ｃのそれぞれを覆うように拡散レンズ１３ｇを取り付けてもよい。これにより第１のＬＥＤ光源１３ｃから照射された光が拡散するため、第１のＬＥＤ光源１３ｃの数が少なくても、液晶パネル１に輝度ムラが生じるのを抑制できる。なお、図５および以降の図面では液晶パネル１の図示を省略する。
【００４４】
一方、第２のＬＥＤ光源１３ｅはＬＥＤ基板１３ｄに取り付けられ、ＬＥＤ基板１３ｄは例えば両面テープにより２つの側面１３ａ２の導光板１２と対向する部分にそれぞれ貼り付けられる。したがって、第２のＬＥＤ光源１３ｅは、第１のＬＥＤ光源１３ｃとは異なり、液晶パネル１の外側に向いて設けられる。そして、第２のＬＥＤ光源１３ｅは導光板１２の側面へ光を照射する。この光は導光板１２内により導かれ、導光板１２の拡散部材１２ａが塗布されていない部分では光はほぼ全反射し、拡散部材１２ａが塗布された部分から光は上方に取り出される。その結果、第１のＬＥＤ光源１３ｅにより照射される液晶パネル１の中心領域の周囲（左側および右側）の領域に光が到達する。
【００４５】
なお、導光板１２を介して第２のＬＥＤ光源１３ｅが光を照射する液晶パネル１の左右でも、導光板１２の上面のプリズム形状により、光の直進性が向上しているため、１次元（行方向）のローカルディミングができる。
【００４６】
ここで、第２のＬＥＤ光源１３ｅから離れるほど、導光板１２内を進む光の量が少なくなる。そのため、液晶パネル１に輝度ムラが生じないよう、第２のＬＥＤ光源１３ｅの近辺では拡散部材１２ａを疎に、第２のＬＥＤ光源１３ｅから離れるほど拡散部材１２ａを密に塗布するのが望ましい。また、第２のＬＥＤ光源１３ｅが取り付けられる側面１３ａ２の表面も、液晶パネル１に到達する光量を増加させるよう、反射材１３ｆが塗布されているのが望ましい。
【００４７】
第２のＬＥＤ光源１３ｅを液晶パネル１の外側に配置せず、液晶パネル１の下方に設けるため、ベゼル幅を狭くできる。その結果として、表示領域が大きく見えたり、複数の液晶パネル１を並べて表示させたりできる。また、第２のＬＥＤ光源１３ｅから照射された光は、導光板１２を介して、液晶パネル１の両端にまで到達するため、必要なＬＥＤの数を少なくできる。さらに、光源モジュール１３が配置されない、液晶パネル１の両サイドの厚さを特に薄くすることもできる。
【００４８】
なお、第２のＬＥＤ光源１３ｅから照射された光が導光板１２に入射せず、拡散して直接拡散板１１に到達すると、液晶パネル１に輝度ムラが生じるおそれがある。そこで、例えば図６に示すように、第２のＬＥＤ光源１３ｅと拡散板１１との間に拡散抑制部材として遮光板１３ｈを設けてもよい。遮光板１３ｈの第２のＬＥＤ光源１３ｅ側の面は鏡面特性を有するのが望ましい。第２のＬＥＤ光源から遮光板１３ｈに照射された光の一部が反射して導光板１２に入射することで、光の利用効率を向上できるためである。また、遮光板の透過率が低すぎると液晶パネル１の第２のＬＥＤ光源１３ｅの直上部分が暗くなって輝度ムラが生じるので、光の透過と反射の機能を持つ、ハーフミラーでできた遮光板１３ｈを設けてもよい。
【００４９】
また、図７に示すように、拡散抑制部材として、第２のＬＥＤ光源１３ｅのそれぞれを覆うようにコリメートレンズ１３ｉを設けてもよい。これにより、第２のＬＥＤ光源１３ｅから照射された光は導光板１２とほぼ平行な方向へと向けられ、拡散板１１方向に拡散する光を抑制できる。
【００５０】
さらに、図８および図９に示すように、基板１３ａの内側に、拡散板１１側から背面１３ａ１側に向かって傾斜する傾斜面（第３面）１３ａ３を備えていてもよい。これにより、側面１３ａ２の上方の液晶パネル１にスジ状の輝度ムラが生じるのを抑制できる。
【００５１】
このように、本実施形態では、液晶パネル１の中央に対向して第１のＬＥＤ光源１３ｃを設け、導光板１２を介さずに光を照射する。そのため、光の取り出し効率が高く、液晶パネル１の中央の領域を明るくすることができるとともに、細かい領域単位でローカルディミングを行うことができる。もちろん、第２のＬＥＤ光源１３ｅが、導光板１２を介し、光を照射する液晶パネル１の左右の領域についても、１次元（行方向）のローカルディミングをできることは言うまでもない。
【００５２】
また、第１のＬＥＤ光源１３ｃから照射される光を挟むように２つの導光板１２を設け、液晶パネル１の外側ではなく導光板１２の間に第２のＬＥＤ光源１３ｅを設けるため、狭いベゼル幅を実現することができ、結果として、表示領域が大きく見え、複数の液晶パネル１をシームレス接続することもできる。さらに、表示モジュール２００のうち、光源モジュール１３が配置されない部分を特に薄型化することができる。
【００５３】
以下、上述したバックライト装置６の変形例をいくつか説明する。
【００５４】
図１０は、バックライト装置の第１の変形例の斜視図である。同図のバックライト装置６ａは、３つの導光板１２と、２つの光源モジュール１３とを有する。そして、左右両端および中央に導光板１２が配置され、これらの間に光源モジュール１３が配置される。これにより、導光板１２を介して光が照射される領域においても、ローカルディミングを行うことができる。また、液晶パネル１の中央に第１のＬＥＤ光源１３ｃが配置されるわけではないが、左右両方の第２のＬＥＤ光源１３ｅから照射されるため、やはり液晶パネル１の中央を特に明るくすることができる。
【００５５】
図１１は、バックライト装置の第２の変形例の斜視図である。同図のバックライト装置６ｂのように、液晶パネル１の左右の領域でなく、上下の領域に導光板１２を配置してもよい。なお、動画解像度向上のために走査線ごとに明るさを制御するバックライトスキャンを行う場合は、図３の構成が望ましい。
【００５６】
図１２は、バックライト装置の第３の変形例の断面図である。図３および図４のバックライト装置６は、左右それぞれ約１／３の領域に導光板１２を配置したが、図１２のバックライト装置６ｃのように、導光板１２を配置する領域を狭くし、光源モジュール１３の幅を大きくしてもよい。これにより、明るく照射できる領域を広くすることができる。逆に、導光板１２を配置する領域を図３および図４より小さくしてもよい。
【００５７】
図１３は、バックライト装置の第４の変形例の断面図である。図４のバックライト装置６と異なり、光源モジュール１３の左右それぞれに、第１の導光板１２１と、第２の導光板１２２とが配置される。
【００５８】
第１の導光板１２１は拡散板１１と対向してその下方に、第２の導光板１２２は第１の導光板１２１の下方にそれぞれ配置される。第１の導光板１２１の下面の内側（光源モジュール１３側）に拡散部材１２ａ１が塗布され、第２の導光板１２２の下面の外側に拡散部材１２ａ２が塗布される。
【００５９】
さらに、基板１３の側面１３ａ２には、第１の導光板１２１に光を照射する第２のＬＥＤ光源１３ｅ１と、第２の導光板１２２に光を照射する第３のＬＥＤ光源１３ｅ２とが取り付けられる。第２のＬＥＤ光源１３ｅ１および第３のＬＥＤ光源１３ｅ２は液晶パネル１の外側を向いて設けられる。第２のＬＥＤ光源１３ｅ１から照射された光は第１の導光板１２１の拡散部材１２ａ１が塗布された面から液晶パネル１側に出射され、第３のＬＥＤ光源１３ｅ２から照射された光は第２の導光板１２２の拡散部材１２ａ２が塗布された面から液晶パネル２側に出射される。
【００６０】
したがって、液晶パネル１の拡散部材１２ａ１の上方は第２のＬＥＤ光源１３ｅ１により照射され、拡散部材１２ａ２の上方は第３のＬＥＤ光源１３ｅ２により照射される。結果として、図１３のバックライト装置６ｄより、第１および第２の導光板１２１，１２２の上方をより細かい領域単位にローカルディミングを行うことができる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
６  バックライト装置
１１  拡散板
１２，１２１，１２２  導光板
１３  光源モジュール
１３ａ  基板
１３ａ１  背面
１３ａ２  側面
１３ａ３  傾斜面
１３ｃ  第１のＬＥＤ光源
１３ｅ，１３ｅ１  第２のＬＥＤ光源
１３ｅ２  第３のＬＥＤ光源
１３ｆ  反射材
１３ｈ  遮光板
１３ｉ  コリメートレンズ
１１０  画像表示装置
【図１】
2012208451.tif 000003
【図２】
2012208451.tif 000004
【図３】
2012208451.tif 000005
【図４】
2012208451.tif 000006
【図５】
2012208451.tif 000007
【図６】
2012208451.tif 000008
【図７】
2012208451.tif 000009
【図８】
2012208451.tif 000010
【図９】
2012208451.tif 000011
【図１０】
2012208451.tif 000012
【図１１】
2012208451.tif 000013
【図１２】
2012208451.tif 000014
【図１３】
2012208451.tif 000015
【手続補正書】
【提出日】平成24年4月17日(2012.4.17)
【手続補正１】
【補正対象書類名】明細書
【補正対象項目名】０００７
【補正方法】変更
【補正の内容】
【０００７】
実施形態によれば、表示装置は、表示パネルと、第１および第２の光源と、複数の第１の導光板とを有する。第１の光源は、前記表示パネルの第１の領域に向けて光を照射する。第２の光源は、前記表示パネルの縁よりも内側に設けられる。第１の導光板は、前記第２の光源より照射された光を、前記表示パネル上の領域であって、前記第１の領域よりも前記表示パネルの縁に近い第２の領域に向かって導く。前記複数の第１の導光板の１つの一部は、前記表示パネルの縁と対向して配置され、前記第２の光源は、前記複数の第１の導光板の間に配置される。
【手続補正２】
【補正対象書類名】特許請求の範囲
【補正対象項目名】全文
【補正方法】変更
【補正の内容】
【特許請求の範囲】
【請求項１】
表示パネルと、
前記表示パネルの第１の領域に向けて光を照射する第１の光源と、
前記表示パネルの縁よりも内側に設けられる第２の光源と、
前記第２の光源より照射された光を、前記表示パネル上の領域であって、前記第１の領域よりも前記表示パネルの縁に近い第２の領域に向かって導く複数の第１の導光板と、を有し、
前記複数の第１の導光板の１つの一部は、前記表示パネルの縁と対向し、
前記第２の光源は、前記複数の第１の導光板の間に配置される表示装置。
【請求項２】
前記第１の領域は、少なくとも前記表示パネルの中央に対応する位置を含む請求項１に記載の表示装置。
【請求項３】
前記表示パネルの前記第１の領域と対向して設けられ、前記第１の領域と対向する第１面と、少なくとも一部が前記第１の導光板と対向する第２面と、を含む基板を有し、
前記第１の光源は前記第１面に取り付けられ、
前記第２の光源は前記第２面の前記第１の導光板と対向する部分に取り付けられる請求項１に記載の表示装置。
【請求項４】
前記第１面および前記第２面には反射材が塗布されている請求項３に記載の表示装置。
【請求項５】
前記基板は、前記第１面の前記表示パネル側から、前記第２面側に向かって傾斜する第３面を含む請求項３に記載の表示装置。
【請求項６】
前記第１の光源を覆い、前記第１の光源より照射された光を拡散させる拡散レンズを有する請求項１に記載の表示装置。
【請求項７】
前記第１の導光板を介さずに前記表示パネルへ拡散する前記第２の光源より照射される光の量を抑制する拡散抑制部材を有する請求項１に記載の表示装置。
【請求項８】
前記拡散抑制部材は、前記第２の光源と前記表示パネルとの間に設けられる遮光部材である請求項７に記載の表示装置。
【請求項９】
前記拡散抑制部材は、前記第２の光源を覆い、前記第２の光源より照射された光の進行方向を前記表示パネルと略平行な方向に向けるコリメートレンズである請求項７に記載の表示装置。
【請求項１０】
前記第２の光源と同じ方向を向いて設けられた第３の光源と、
前記第１の導光板と対向して設けられ、前記第３の光源より照射された光を、前記表示パネル上の領域であって、前記第１および第２の領域とは異なる第３の領域に向かって導く第２の導光板を有する請求項１に記載の表示装置。
【請求項１１】
前記表示パネルと前記第１の導光板との間に、前記第１の光源から照射される光を拡散させる拡散部材を有する請求項１に記載の表示装置。
【請求項１２】
放送波を受信してチューニングするチューナを有し、
前記表示パネルは、前記チューニングされた放送波を表示する請求項１に記載の表示装置。
【請求項１３】
表示パネルを照射するバックライト装置であって、
前記表示パネルの第１の領域に向けて光を照射する第１の光源と、
前記表示パネルの縁よりも内側に設けられる第２の光源と、
前記第２の光源より照射された光を、前記表示パネル上の領域であって、前記第１の領域よりも前記表示パネルの縁に近い第２の領域に向かって導く第１の導光板と、を有し、
前記複数の第１の導光板の１つの一部は、前記表示パネルの縁と対向し、
前記第２の光源は、前記複数の第１の導光板の間に配置されるバックライト装置。
【請求項１４】
前記表示パネルと前記第１の導光板との間に、第１の光源から照射される光を拡散させる拡散部材を有する請求項１３に記載のバックライト装置。
【請求項１５】
前記第１の領域は、少なくとも前記表示パネルの中央に対応する位置を含む請求項１４に記載のバックライト装置。
【請求項１６】
前記表示パネルの前記第１の領域と対向して設けられ、前記第１の領域と対向する第１面と、少なくとも一部が前記第１の導光板と対向する第２面と、を含む基板を有し、
前記第１の光源は前記第１面に取り付けられ、
前記第２の光源は前記第２面の前記第１の導光板と対向する部分に取り付けられる請求項１３に記載のバックライト装置。
【請求項１７】
前記第１面および前記第２面には反射材が塗布されている請求項１６に記載のバックライト装置。
【請求項１８】
前記基板は、前記第１面の前記表示パネル側から、前記第２面側に向かって傾斜する第３面を含む請求項１６に記載のバックライト装置。
【請求項１９】
前記第１の光源を覆い、前記第１の光源より照射された光を拡散させる拡散レンズを有する請求項１３に記載のバックライト装置。
【請求項２０】
前記第１の導光板を介さずに前記表示パネルへ拡散する前記第２の光源より照射される光の量を抑制する拡散抑制部材を有する請求項１３に記載のバックライト装置。